(57)【要約】【課題】  施工時などの制御電源有無設定手段の設定間違いや温水器使用後の電源工事等により制御電源供給状態が変更された場合にも、正常動作をさせることができる電気温水器を提供することを目的とする。【解決手段】  制御電源供給の有無を予め設定する制御電源有無設定手段１１と、時間を計時する計時手段８ａと、一定時間毎に制御電源供給の有無を検知する電源供給検知手段８ｂと、計時手段８ａが一定時間を計時する間に電源供給検知手段８ｂが検知した制御電源供給有りの回数をカウントし、電気温水器に供給される制御電源の有無を判定する制御電源有無判定手段８ｃと、を備え、電気温水器への初期電源投入時は、制御電源有無設定手段１１の設定に従って動作を行い、制御電源有無判定手段８ｃによる判定が実施された後は、その判定結果に従って以降の動作を行う【選択図】  図３
2007218440.tif 000002
【特許請求の範囲】
【請求項１】
貯湯槽の水を加熱する加熱手段と、制御電源供給の有無を予め設定する制御電源有無設定手段と、時間を計時する計時手段と、一定時間毎に制御電源供給の有無を検知する電源供給検知手段と、前記計時手段が一定時間を計時する間に前記電源供給検知手段が検知した制御電源供給有りの回数をカウントし、この数値から電気温水器に供給される制御電源の有無を判定する制御電源有無判定手段と、を備え、
電気温水器への初期電源投入時は、前記制御電源有無設定手段の設定に従って動作を行い、前記制御電源有無判定手段による判定が実施された後は、該制御電源有無判定手段の判定結果に従ってそれ以降の動作を行うことを特徴とする電気温水器。
【請求項２】
貯湯槽の水を加熱する加熱手段と、制御電源供給の有無を予め設定する制御電源有無設定手段と、時間を計時する計時手段と、一定時間毎に制御電源供給の有無及び沸き上げ電源供給の有無を検知する電源供給検知手段と、前記計時手段が一定時間を計時する間に前記電源供給検知手段が検知した制御電源供給有りの回数をカウントし、この数値から電気温水器に供給される制御電源供給の有無を判定する制御電源有無判定手段と、前記計時手段が一定時間を計時する間に前記電源供給検知手段が検知した沸き上げ電源供給有りの回数をカウントし、この数値から電気温水器に供給される電力モードを判定する電力モード判定手段と、を備え、
電気温水器への初期電源投入時は、前記制御電源有無設定手段の設定に従って動作を行い、前記制御電源供給有無判定手段による判定が実施された後は、該制御電源供給有無判定手段の判定結果に従ってそれ以降の動作を行うことを特徴とする電気温水器。
【発明の詳細な説明】
【技術分野】
【０００１】
本発明は、制御電源の有無を予め設定する制御電源有無設定手段を備えた電気温水器に関するものである。
【背景技術】
【０００２】
従来の電気温水器は、深夜電力が通電されている間だけ沸き上げ運転を行うようにした深夜電力用電気温水器と、時間を判別して昼間の通常商用電力を利用した沸き上げも可能な時間帯別料金（ＴＯＵ）用電気温水器とがある。その制御装置は両電力に対応しているものがあり、制御電源の供給時に、沸き上げ用電源の通電時間を検出して電力モードを“ＴＯＵモード”、もしくは“深夜電力モード”に切り替えるための自動判定を行っている（例えば、特許文献１参照）。
【０００３】
【特許文献１】特開２００２−３４９９６６号公報
【発明の開示】
【発明が解決しようとする課題】
【０００４】
上記従来の電気温水器において、“ＴＯＵモード”契約の場合は制御電源が常時供給が必要であり、“深夜電力モード”契約の場合は、深夜電力時間帯のみ制御電源が供給されていればよい。一方、最近の電気温水器は、いずれの契約電力モードにも対応可能なように制御回路が構成されているため、昼間電力を使用する制御電源の引込端子を有しており、この制御電源の引込端子を有するものは、制御電源供給の有無を制御電源有無設定手段（例えば、切替スイッチ、ジャンパー線）によって予め設定するようになっている。
すなわち、制御電源を引き込まずに使用する場合には、制御電源供給有無設定手段を予め“制御電源無し”設定としておけば、問題はない。
しかし、“深夜電力モード”でリモコンを使用する際、昼間電力での制御電源の有無により、昼夜間時間帯でのリモコン表示等が異なるため、初期設定として前記制御電源有無設定手段による制御電源の有無の設定を誤ってしまった場合、例えば、“深夜電力モード”にて使用する際に、制御電源供給有無設定手段にて“制御電源有り”設定としているにもかかわらず、昼間電力での制御電源を引き込まずに使用した場合には、昼間時間帯は制御電源未供給となるため、停電状態とし、リモコン表示を消灯させ、電力モードの自動判定を一時停止させる。すると、深夜時間帯のみリモコンが表示され、お客様に不信感を与えるだけでなく、電力モードの自動判定も深夜時間帯の制御電源供給時にだけ行ってしまうため、“深夜電力モード”で使用するにも関わらず、“ＴＯＵモード”と誤判定されてしまうという問題点がある。また、温水器使用後の電源工事等により制御電源供給状態が変更された場合には、お客様の手を煩わせることになるという問題点がある。
【０００５】
本発明は、上記のような問題点を解決するためになされたもので、施工時などの制御電源有無設定手段の設定間違いや、温水器使用後の電源工事等により制御電源供給状態が変更された場合にも、お客様の手を煩わせることなく、正常動作をさせることができる電気温水器を提供することを目的とする。
【課題を解決するための手段】
【０００６】
本発明の電気温水器は、貯湯槽の水を加熱する加熱手段と、制御電源供給の有無を予め設定する制御電源有無設定手段と、時間を計時する計時手段と、一定時間毎に制御電源供給の有無を検知する電源供給検知手段と、前記計時手段が一定時間を計時する間に前記電源供給検知手段が検知した制御電源供給有りの回数をカウントし、この数値から電気温水器に供給される制御電源の有無を判定する制御電源有無判定手段とを備え、電気温水器への初期電源投入時は、前記制御電源有無設定手段の設定に従って動作を行い、前記制御電源有無判定手段による判定が実施された後は、該制御電源有無判定手段の判定結果に従ってそれ以降の動作を行うものである。
【発明の効果】
【０００７】
本発明は上述の構成により、制御電源有無設定手段の設定と制御電源有無判定手段の判定結果が異なる場合には、制御電源有無判定手段の判定結果が正しいとして、それ以降の動作を行うので、施工時等に制御電源有無設定手段の設定を誤ってしまった場合でも、自動で正常動作へと導き、施工時などの制御電源有無設定手段の設定間違いや、温水器使用後の電源工事等により制御電源供給状態が変更された場合にも、お客様の手を煩わせることなく、設定が変更可能であり、誤動作を防止することができる。
【発明を実施するための最良の形態】
【０００８】
実施の形態１．
以下、本発明の電気温水器について、図面を参照して説明する。
図１は本発明の実施の形態１を示す電気温水器の構成図である。
図１において、１は水源から水を供給する給水管、２は水源から供給される水の圧力を減圧する減圧弁、３は水または湯を貯める貯湯槽、４は貯湯槽３内の水を沸き上げる発熱体等からなる加熱手段、５は貯湯槽３内の水の沸き上げ制御時に用いる温度センサ、６は沸き上げにより体積膨張した湯を排水する逃がし弁、７は貯湯槽３に貯められた湯を供給する給湯管、８は全体の制御を司る制御部、９は制御部８との間で制御指示や情報伝達を行うリモコンである。１０は電気温水器に供給される電源であり、制御電源と沸き上げ電源の２つの電源を含んでいる。
【０００９】
図２は上記構成の電気温水器の制御回路のブロック図をである。
全体の制御を司る制御部８は、電源１０が供給されると、リモコン９との通信を行い、それぞれの情報の伝達をするとともに、リモコン９により設定された沸き上げ湯温と温度センサ５からの検出温度から加熱手段４への通電を制御して沸き上げを行う。
【００１０】
また、制御部８は、時間を計時する計時手段８ａ、一定時間毎に制御電源供給の有無及び沸き上げ電源供給の有無を検知する電源供給検知手段８ｂ、前記計時手段８ａが一定時間を計時する間に前記電源供給検知手段８ｂが検知した制御電源供給有りの回数をカウントし、この数値から電気温水器に供給される制御電源供給の有無を判定する制御電源有無判定手段８ｃ、前記計時手段８ａが一定時間を計時する間に前記電源供給検知手段８ｂが検知した沸き上げ電源供給有りの回数をカウントし、この数値から電気温水器に供給される電力モードを判定する電力モード判定手段８ｄを有している。
【００１１】
制御電源有無設定手段１１は、制御電源有無の初期設定を行うためのものであり、例えば、制御基板（図示せず）内に設けられた切替スイッチやジャンパー線で構成される。ジャンパー線で構成する場合は、ジャンパー線がカットされていれば、制御電源“無し”設定、ジャンパー線がカットされていなければ、制御電源“有り”設定とし、これを読み込み値として、制御部８内のメモリ（図示せず）に記憶させる。
【００１２】
また、制御電源有無判定手段８ｃは、制御電源有無判定用カウンタ１〜３およびタイマを有し、制御電源供給状態を常時監視することにより、制御電源の有無を自動判定し、その判定結果が制御部８内のメモリ（図示せず）に記憶させた制御電源有無設定手段１１の読み込み値と不一致であった場合には、自動判定結果のほうが正しいとして制御部８内のメモリの記憶を上書く。
さらに、電力モード判定手段８ｄは、電力モード判定用カウンタ１〜３およびタイマを有しており、常時監視している制御電源供給状態によって、電力モード判定用カウンタ１〜３、およびタイマを動作させ、電力モードの自動判定を行う。
【００１３】
次に、本発明の実施の形態１の動作について、図３および図４のフローチャートを用いて詳しく説明する。
図３は本発明の実施の形態１を示す制御電源有無自動判定フローチャートであり、図４は本発明の実施の形態１を示す電力モード自動判定フローチャートである。
【００１４】
電気温水器に電源１０が供給されると、図３および図４のステップが同時にスタートする。それぞれのタイマの計測時間やカウンタ判定回数は可変であり、常時動作や条件付動作させることも可能であるが、本発明においては、図３の制御電源有無自動判定フローは、制御電源の供給の有無にかかわらず、そのタイマは継続させ、図４の電力モード自動判定フローについては、電源１０の供給が停止した際にはそのタイマも停止するものとする。
【００１５】
まず、図３の制御電源有無自動判定フローチャートについて説明する。
電気温水器に電源１０が供給されると、制御電源有無判定手段８ｃは各種カウンタをリセットし、タイマをクリア＆スタートさせる（ステップＳ１）。その後、制御部８にて制御電源有無設定手段（ジャンパー線）１１の読み込み値を確認し（ステップＳ２）、その読み込み値＝制御電源有り設定であった場合には、制御電源モード＝“有り”と制御部８内のメモリに設定し（ステップＳ３）、その読み込み値＝制御電源無し設定であった場合には、制御電源モード＝“無し”として制御部８内のメモリに設定する（ステップＳ４）とともに、電力モード＝“深夜電力”モードとして動作させる（ステップＳ５）。
【００１６】
次に、制御電源有無設定手段（ジャンパー線）１１の読み込み値や、設定そのものに誤りがあった場合の誤動作を防止するため、制御電源有無判定用タイマが一定時間、本例では３０分経過したかどうかを確認し（ステップＳ６）、３０分経過したら制御電源有無判定用タイマをクリアして再スタートさせるとともに、制御電源有無判定用カウンタ３を＋１する（ステップＳ７）。その後、制御電源および沸き上げ電源２００ＶがＯＮしているかどうかを確認し（ステップＳ８およびＳ１０）、それぞれＯＮであった場合には、制御電源有無判定用カウンタ１および制御電源有無判定用カウンタ２を＋１する（ステップＳ９およびＳ１１）。
【００１７】
次に、ステップＳ７における制御電源有無判定用カウンタ３が規定回数、本例では４８回（２４時間相当）カウントしたかどうかを確認し、４８回を未達であれば、ステップＳ６に戻り、上記ステップを繰り返す（ステップＳ１２）。
ステップＳ１２において、制御電源有無判定用カウンタ３が４８回（２４時間相当）カウントした場合は、制御電源有無判定用カウンタ１のカウント回数を判定し（ステップＳ１３）、本例では２４回（１２時間相当）カウントしていれば、制御電源有無自動判定結果を制御電源モード＝“有り”として以降の動作を行うこととし、制御部８内のメモリに設定する（ステップＳ１４）。ここで、例えば、制御電源有無自動判定を常時行う場合には、制御電源有無判定用カウンタ１〜３の各カウンタをリセットし（ステップＳ１９）、もう一度ステップＳ６に戻れば、途中での制御電源有無切り替えにも対応可能となる。
【００１８】
一方、ステップＳ１３において、制御電源有無判定用カウンタ１のカウント回数が、規定回数の２４回（１２時間相当）カウントしていない場合には、制御電源モード＝“有り”にもかかわらず、停電してしまい、制御電源有無判定用カウンタ１のカウント回数が未達であるのか、実際に制御電源モード＝“無し”であるのかが判断できない。
【００１９】
そこで、その判定を行うために、制御電源有無判定用カウンタ２のカウント回数を確認する（ステップＳ１５）。ここで、制御電源有無判定用カウンタ２のカウント回数が規定回数、本例では９回（４．５時間相当）に未達であったなら、実際に停電が発生して制御電源有無判定用カウンタ１および２のカウント回数が未達であったと判断し、制御電源有無自動判定結果は停電が発生したため、未判定とし、ステップＳ１９を経てステップＳ６からもう一度行うものとする。
【００２０】
一方、ステップＳ１５において、制御電源有無判定用カウンタ２のカウント回数が規規定回数の９回（４．５時間相当）カウントしていれば、制御電源有無自動判定結果を制御電源モード＝“無し”（ステップＳ１６）として、制御部８内のメモリに設定するとともに、電力モード＝“深夜電力”モードとして以降の動作を行うこととする（ステップＳ１７）。ただし、電力モード自動判定を制御電源供給中は常時行うとすると、電力モード判定用カウンタ１〜３をリセットし、電力モード判定用タイマをクリア＆再スタートさせる必要がある（ステップＳ１８）。
【００２１】
このような自動判定を行うことで、施工時などの制御電源有無設定手段（ジャンパー線）１２の設定間違いや、温水器使用後の電源工事等により制御電源供給状態が変更された場合にも、お客様の手を煩わせることなく、設定が変更可能であり、誤動作を防止することができる。
【００２２】
次に、図４の電力モード自動判定フローチャートについて説明する。
電気温水器に制御電源１０が供給されると、制御部８は、上述の制御電源有無自動判定結果が制御電源モード＝“有り”であるか、もしくはその判定結果がメモリに設定されていなければ、制御電源有無設定手段（ジャンパー線）１１の読み込み値が制御電源モード＝“有り”であるかを確認し（ステップＳ２０）、制御電源モード＝“有り”であれば、電力モード＝“初期モード”設定とし（ステップＳ２１）、そうでなければ、図３のフローでも説明したとおり、電力モード＝“深夜電力モード”設定として動作させる（ステップＳ２２）。  次に、電力モードの変更等にも対応できるよう、電力モード判定用カウンタ１〜３をリセットし、電力モード判定用タイマをクリア＆スタートさせる（ステップＳ２３）。  
【００２３】
ここで、本例では、電力モードの自動判定は制御電源供給時に行うものとして説明するが、電力モードの自動判定は常時行うことも可能とする。
電力モード判定用タイマが一定時間、本例では３０分経過したかどうかを確認し（ステップＳ２４）、３０分経過したら、電力モード判定用タイマをクリアし、再スタートさせるとともに、電力モード判定用カウンタ３を＋１する（ステップＳ２５）。その後沸き上げ電源２００ＶがＯＮしているかどうかを確認し（ステップＳ２６）、ＯＮであった場合には、電力モード判定用カウンタ１を＋１し、電力モード判定用カウンタ２をリセットする（ステップＳ２７）。
【００２４】
そして、ステップＳ２５における電力モード判定用カウンタ３が規定回数の４８回（２４時間相当）カウントしたかどうかを確認し、規定回数の４８回未達であれば、ステップＳ２４に戻り、上記ステップを繰り返す（ステップＳ２８）。
ステップＳ２８で、電力モード判定用カウンタ３が規定回数の４８回（２４時間相当）カウントしていたら、電力モード判定用カウンタ１が規定回数、本例では４０回（２０時間相当）カウントしたかどうかを確認し（ステップＳ２９）、規定回数の４０回未達であれば、電力モード＝“深夜電力モード”として、以降の動作を行う（ステップＳ３５）。ステップＳ２９で、電力モード判定用カウンタ１が規定回数の４０回をカウントしていた場合、制御部８内のメモリに記憶した制御電源有無自動判定結果が制御電源モード＝“有り”であるかを確認し（ステップＳ３０）、制御電源モード＝“有り”設定であれば、電力モード＝“ＴＯＵモード”設定として、以降の動作を行う（ステップＳ３１）。一方、ステップＳ３０で、制御部８内のメモリに記憶した制御電源有無自動判定結果が制御電源モード＝“無し”設定であった場合には、電力モード＝“深夜電力モード”設定として以降の動作を行う（ステップＳ３５）。
【００２５】
ステップＳ２６において、沸き上げ電源２００ＶがＯＮしていなかった場合には、電力モード判定用カウンタ２を＋１する（ステップＳ３２）。そして、その電力モード判定用カウンタ２が規定回数、本例では１２回（６時間相当）カウントしたかどうかを確認し（ステップＳ３３）、規定回数の１２回未達であれば、ステップＳ２４に戻り、上記ステップを繰り返す（ステップＳ２８）。ステップＳ３３で、電力モード判定用カウンタ２が規定回数の１２回（６時間相当）カウントしていたら、電力モード判定用カウンタ２をリセットし（ステップＳ３４）、電力モード＝“深夜電力モード”として、以降の動作を行うこととする（ステップＳ３５）。
【００２６】
また、電力モードの自動判定を制御電源供給時には常時行うものとするのであれば、電力モードの自動判定終了後にステップＳ３６のように電力モード判定用カウンタ１，３をリセットし、ステップＳ２４からのステップを繰り返すものとする。
このように、制御電源有無自動判定と電力モード自動判定とをリンクさせることにより、上述のような制御電源有無設定手段（ジャンパー線）１１の設定間違いによる誤動作を防ぐだけでなく、夜間電力を有効に活用し、沸き上げを行うことも可能となる。
【００２７】
なお、図３および図４に記述のカウンタやタイマの規定回数や規定時間は可変であり、用途に応じた形で自動判定を行うことは可能である。
【図面の簡単な説明】
【００２８】
【図１】本発明の実施の形態１を示す電気温水器の構成図である。
【図２】本発明の実施の形態１を示す電気温水器の制御回路のブロック図である。
【図３】本発明の実施の形態１を示す電気温水器の制御電源有無自動判定フローチャートである。
【図４】本発明の実施の形態１を示す電気温水器の電力モード自動判定フローチャートである。
【符号の説明】
【００２９】
３    貯湯槽
４    加熱手段
８    制御部
８ａ  計時手段
８ｂ  電源供給検知手段
８ｃ  制御電源有無判定手段
８ｄ  電力モード判定手段
９    リモコン
１０  電源
１１  制御電源有無設定手段（ジャンパー線）
【図１】
2007218440.tif 000003
【図２】
2007218440.tif 000004
【図３】
2007218440.tif 000005
【図４】
2007218440.tif 000006